(57)【特許請求の範囲】
【請求項１】
インペラを回転可能に収容することにより流入した流体を圧送するポンプ部の外郭を形成するポンプケースと、
前記インペラを回転させることにより前記ポンプ部を駆動するモータを収容するモータケースと、
前記ポンプケースの前記モータケースとの接合面及び前記モータケースの前記ポンプケースとの接合面のいずれか一方に設けられかつ先端が凸曲面状に突出した当接部を備えると共に、該当接部の先端が前記ポンプケースの前記モータケースとの接合面及び前記モータケースの前記ポンプケースとの接合面のいずれか他方に当接されかつレーザ溶着により接合された接合部と、
を備えた電動ポンプ。
【請求項２】
前記ポンプケースの前記モータケースとの接合面及び前記モータケースの前記ポンプケースとの接合面は前記モータの出力軸の軸線方向に沿って延在すると共に、前記ポンプケースの前記モータケースとの接合面と前記モータケースの前記ポンプケースとの接合面とが前記当接部を介して重ね合わされるように配置された請求項１記載の電動ポンプ。
【請求項３】
前記当接部の先端が前記ポンプケースの前記モータケースとの接合面及び前記モータケースの前記ポンプケースとの接合面のいずれか他方の接合面に当接することにより、前記ポンプケースに対する前記モータケースの前記当接部が突出する方向への位置決めが成された請求項１又は請求項２記載の電動ポンプ。
【請求項４】
前記ポンプケースの前記モータケースとの接合面と前記モータケースの前記ポンプケースとの接合面とがテーパ嵌合された請求項１〜請求項３のいずれか１項に記載の電動ポンプ。
【発明の詳細な説明】
【技術分野】
【０００１】
本発明は電動ポンプに関する。
【背景技術】
【０００２】
従来、第１の部品に形成された平坦な接合面と第２の部品に形成された平坦な接合面とが重ね合わされて熱溶着により接合された接合部を含んで構成された溶着部品が知られている。例えば、下記特許文献１には、モータ側ケースの開口側端部に形成された平坦な接合面とポンプ側ケースの開口側端部に形成された平坦な接合面とが重ね合わされて熱溶着により接合された接合部を含んで構成された溶着部品としての電動ポンプが開示されている。
【先行技術文献】
【特許文献】
【０００３】
【特許文献１】特開２００５−９０２５５号公報
【発明の概要】
【発明が解決しようとする課題】
【０００４】
しかしながら、従来の溶着部品のように、平坦な接合面同士が重ね合わされて熱溶着により接合される場合、仮組付時の加圧等の影響を受けて、第１の部品の接合面と第２の部品の接合面との間に隙間が生じることが考えられる。この隙間の位置は、仮組付時の加圧等の加減によって安定しない。換言すると、第１の部品の接合面と第２の部品の接合面との接触部の位置が安定しない。
【０００５】
ここで、接合強度の向上等を図るために、第１の部品の接合面と第２の部品の接合面とをレーザ溶着により接合する場合において、第１の部品の接合面と第２の部品の接合面との接触部の位置が安定しないと、該接触部がレーザ光の照射ラインから外れてしまうことが考えられる。その結果、所要の溶着強度が得られない等の溶着不良を招くことが考えられる。
【０００６】
本発明は上記事実を考慮し、第１の部品の接合面と第２の部品の接合面との接触部の位置を安定させることができる電動ポンプを得ることが目的である。
【課題を解決するための手段】
【０００７】
請求項１記載の本発明に係る電動ポンプは、インペラを回転可能に収容することにより流入した流体を圧送するポンプ部の外郭を形成するポンプケースと、前記インペラを回転させることにより前記ポンプ部を駆動するモータを収容するモータケースと、前記ポンプケースの前記モータケースとの接合面及び前記モータケースの前記ポンプケースとの接合面のいずれか一方に設けられかつ先端が凸曲面状に突出した当接部を備えると共に、該当接部の先端が前記ポンプケースの前記モータケースとの接合面及び前記モータケースの前記ポンプケースとの接合面のいずれか他方に当接されかつレーザ溶着により接合された接合部と、を備えたことを特徴とする。
【０００８】
請求項１記載の本発明では、先端が凸曲面状に突出した当接部がポンプケースの接合面及びモータケースの接合面のいずれか一方に設けられているため、ポンプケースの接合面に対してモータケースの接合面が傾いたとしても、ポンプケースの接合面とモータケースの接合面とは当接部の先端を介して接触する。換言すると、ポンプケースの接合面に対してモータケースの接合面が傾いたとしても、当接部の先端という狭小な範囲の中で両者を接触させることができる。即ち、請求項１記載の本発明では、ポンプケースの接合面とモータケースの接合面との接触部の位置を安定させることができる。
【０００９】
請求項２記載の本発明に係る電動ポンプは、請求項１記載の電動ポンプにおいて、前記ポンプケースの前記モータケースとの接合面及び前記モータケースの前記ポンプケースとの接合面は前記モータの出力軸の軸線方向に沿って延在すると共に、前記ポンプケースの前記モータケースとの接合面と前記モータケースの前記ポンプケースとの接合面とが前記当接部を介して重ね合わされるように配置されたことを特徴とする。
【００１０】
請求項２記載の本発明では、ポンプケースの接合面とモータケースの接合面とが、モータの軸線方向に沿って延在すると共に、両者が重ね合わされるように配置されているため、ポンプケースとモータケースとの接合部が電動ポンプの径方向外側に突出することが抑制される。換言すると、請求項２記載の本発明では、電動ポンプの外径の小径化をすることができる。
【００１３】
請求項３記載の本発明に係る電動ポンプは、請求項１又は請求項２記載の電動ポンプにおいて、前記当接部の先端が前記ポンプケースの前記モータケースとの接合面及び前記モータケースの前記ポンプケースとの接合面のいずれか他方の接合面に当接することにより、前記ポンプケースに対する前記モータケースの前記当接部が突出する方向への位置決めが成されたことを特徴とする。
【００１４】
請求項３記載の本発明では、ポンプケースの接合面に対してモータケースの接合面が傾いたとしても、両接合面間の接触部の位置が安定する。換言すると、請求項３記載の本発明では、ポンプケースの接合面に対してモータケースの接合面が傾いたとしても、ポンプケースに対するモータケースの位置を安定させることができる。
【００１５】
請求項４記載の本発明に係る電動ポンプは、請求項１〜請求項３のいずれか１項に記載の電動ポンプにおいて、前記ポンプケースの前記モータケースとの接合面と前記モータケースの前記ポンプケースとの接合面とがテーパ嵌合されたことを特徴とする。
【００１６】
請求項４記載の本発明では、ポンプケースの接合面とモータケースの接合面とがテーパ嵌合されているため、ポンプケースに対するモータケースの位置を正規の位置へガイドしながら、ポンプケースの接合面とモータケースの接合面とを嵌合させることができる。
【図面の簡単な説明】
【００１７】
【図１】実施形態に係る電動ポンプを示す断面図である。
【図２】（Ａ）はポンプケースを示す断面図であり、（Ｂ）はポンプケースの接合面の近傍を示す拡大断面図である。
【図３】（Ａ）はモータケースを示す断面図であり、（Ｂ）はモータケースの接合面の近傍を示す拡大断面図である。
【図４】インペラが取付けられたモータを示す断面図である。
【図５】ポンプケースとモータケースとの接合部を示す拡大断面図である。
【図６】（Ａ）及び（Ｂ）は、モータケースの接合面に対してポンプケースの接合面が傾いた場合における当接部の先端とポンプケースの接合面との接触状態を示す拡大断面図である。
【図７】第１変形例に係る接合部を示す拡大断面図である。
【図８】第２変形例に係る接合部を示す拡大断面図である。
【図９】（Ａ）及び（Ｂ）は、対比例に係る接合部における、モータケースの接合面とポンプケースの接合面との接触状態を示す拡大断面図である。
【発明を実施するための形態】
【００１８】
図１から図５を用いて、本発明の実施形態に係る溶着部品としての電動ポンプについて説明する。
【００１９】
図１に示されるように、電動ポンプ１０は、インペラ１２を回転可能に収容することにより流入した流体を圧送するポンプ部１４を形成する第１の部品としてのポンプケース１６と、インペラ１２を回転させることによりポンプ部１４を駆動するモータ１８と、を備えている。また、電動ポンプ１０は、モータ１８及び該モータ１８を制御する回路部２０を収容する第２の部品としてのモータケース２２を備えている。さらに、電動ポンプ１０はカバー２４を備えている。
【００２０】
以下、電動ポンプ１０の主要な要素であるポンプケース１６、モータケース２２及びモータ１８について説明し、次いで本発明の要部であるポンプケース１６とモータケース２２との接合部９８について説明する。
【００２１】
（ポンプケース１６）
図２（Ａ）に示されるように、ポンプケース１６は液体が流入する入口管２６及び液体が流出する出口管２８を備え、かつレーザ透過性の樹脂材料を用いて形成された一体部品である。具体的には、ポンプケース１６は略円盤平板状の基部３０及び該基部３０の径方向内側の端部から後述するモータ１８の出力軸７６の軸線方向（矢印Ａ方向）に突出した膨出部３２を備えている。また、ポンプケース１６は、膨出部３２の径方向内側の端部から後述するインペラ１２の第１円盤部９６の形状に沿って延在するインペラガイド部３４を備えている。さらに、ポンプケース１６は、インペラガイド部３４の径方向内側の端部からモータ１８の出力軸７６の軸線方向（矢印Ａ方向）に延出して形成された管状の入口管２６を備えている。また、この入口管２６の端部には、ゴムホース等の配管の抜けを抑制する抜け止め突起３６が形成されている。さらに、ポンプケース１６は上記膨出部３２に接続されると共に、入口管２６の開口方向と直交する方向に延出形成された管状の出口管２８が形成されている。この出口管２８の端部には、ゴムホース等の配管の抜けを抑制する抜け止め突起３６が形成されている。
【００２２】
さらに、ポンプケース１６は、基部３０の径方向外側の端部からモータ１８の出力軸７６の軸線方向（矢印Ａ方向）と反対方向に延在する円筒状の開放端部３８を備えている。即ち、この開放端部３８はモータ１８の出力軸７６の軸線方向（矢印Ａ方向）と反対方向に開口している構成である。さらに、図２（Ｂ）に示されるように、開放端部３８における内周面は接合面４０とされている。また、この接合面４０はモータ１８の出力軸７６の軸線方向（矢印Ａ方向）に延在している。
【００２３】
以上説明したポンプケース１６に後述するインペラ１２が収容されることにより、入口管２６から流入した流体を出口管２８に向けて圧送するポンプ部１４（図１参照）が形成される。
【００２４】
（モータケース２２）
図３（Ａ）に示されるように、モータケース２２はレーザ吸収性の樹脂材料を用いて形成された略円柱状の一体部品である。また、モータケース２２の一方の端部には後述するロータ７８を収容するための第１凹部４２が形成されており、モータケース２２の他方の端部には回路部２０を収容するための第２凹部４４が形成されている。
【００２５】
モータケース２２の一方の端部に形成された第１凹部４２は、モータ１８の出力軸７６の軸線方向（矢印Ａ方向）に開口した略Ｕ字状断面を成している。具体的には、第１凹部４２は、円形の底壁４６を備えており、この底壁４６の中心部にはモータ１８の出力軸７６の軸線方向（矢印Ａ方向）に突出形成された管状の軸支部４８が設けられている。後述するモータ１８の出力軸７６がこの軸支部４８に支持されることにより、モータ１８の出力軸７６が該軸支部４８を軸中心として回転可能となる構成である。また、第１凹部４２は、底壁４６の径方向外側の端部からモータ１８の出力軸７６の軸線方向（矢印Ａ方向）に延在する内周壁５０を備えている。さらに、第１凹部４２は、内周壁５０の端部から該内周壁５０の径方向外側に延在する第１インペラガイド壁５２及び該第１インペラガイド壁５２の端部からモータ１８の出力軸７６の軸線方向（矢印Ａ方向）に延在する第２インペラガイド壁５４を備えている。この、第１インペラガイド壁５２及び第２インペラガイド壁５４は、後述するインペラ１２の第２円盤部８８の外周端部の形状に沿って形成されている。
【００２６】
また、モータケース２２は、第１凹部４２の第２インペラガイド壁５４の端部から段差部５６を介してモータケース２２の径方向外側に延在する側壁５８を備えている。また、図３（Ｂ）に示されるように、モータケース２２は、側壁５８の径方向外側の端部からモータ１８の出力軸７６の軸線方向（矢印Ａ方向）と反対方向に延在する接合面６０を備えている。さらに、この接合面６０には、モータケース２２の径方向外側に突出して形成された当接部としての突起部６１が形成されている。この突起部６１は、モータケース２２における接合面６０の全周に渡って設けられている。さらに、この突起部６１の先端６１Ａは、該突起部６１が突出する方向と略同一方向に突出した断面視で凸曲面状に形成されている。なお、突起部６１の構成をわかり易くするために、図１〜図５において突起部６１の大きさを誇張して表現している。
【００２７】
図３（Ａ）に示されるように、モータケース２２の他方の端部に形成された第２凹部４４は、上記第１凹部４２と反対方向に開口したＵ字状断面を成している。具体的には、第２凹部４４は、円形の底壁６４を備えている。この底壁６４には回路部２０を固定する図示しない固定部が形成されている。また、第２凹部４４は、底壁６４の径方向外側の端部からモータ１８の出力軸７６の軸線方向（矢印Ａ方向）と反対方向に延在する内周壁６６を備えている。
【００２８】
また、モータケース２２は、第２凹部４４の内周壁６６の端部と外周壁６２とを繋ぐ傾斜壁６８を備えている。この傾斜壁６８に対してカバー２４の取付部７０が接合される構成である。
【００２９】
また、モータケース２２は、外周壁６２の径方向外側に突出して形成された外部電源接続部７２を備えている。この、外部電源接続部７２には外部電源を回路部２０に供給するための供給端子７４が設けられている。
【００３０】
（モータ１８）
図４に示されるように、モータ１８は、出力軸７６、ロータ７８及びステータ８０を主要な要素として構成されている。
【００３１】
出力軸７６は、円柱状の鋼材に浸炭処理等の表面処理が施されることにより構成されており、その一方の端部は上記モータケース２２の軸支部４８に挿入される回転軸部８２とされている。即ち、出力軸７６は軸支部４８に片持ち支持されている構成である。
【００３２】
ロータ７８は、上記出力軸７６の径方向外側に配置された圧肉円筒状を成している。また、このロータ７８の内部には、その周方向に沿って複数のマグネット８４が設けられている。さらに、このロータ７８はロータ保持部材８６を介して出力軸７６に固定されている。
【００３３】
また、ロータ７８には、モータ１８の出力軸７６を軸中心する円盤状の第２円盤部８８が接続部９０を介して一体形成されている、また、この第２円盤部８８にはその周方向に沿って複数のブレード９２が立設されている。さらにこの複数のブレード９２の端部には中心部に貫通孔９４を備えた円盤状の第１円盤部９６が接合されている。以上説明した、第１円盤部９６、第２円盤部８８及び複数のブレード９２によってインペラ１２が構成されている。
【００３４】
ステータ８０は、図示しない導電性の巻線が、環状に形成された継鉄に巻回されることにより構成されている。また、ステータ８０は上記ロータ７８を囲うように配置されており、このステータ８０が界磁する磁界を受けて、ロータ７８が出力軸７６を軸中心として回転する。このロータ７８の回転に伴い、ロータ７８に接続されたインペラ１２が回転する構成である。また、ステータ８０はモータケース２２に鋳込まれることにより固定されている（図３参照）。
【００３５】
次に、本発明の要部であるポンプケース１６とモータケース２２との接合部９８について説明する。
【００３６】
（接合部９８）
図５に示されるように、ポンプケース１６に設けられた接合面４０とモータケース２２に設けられた接合面６０とが重ね合わされて配置される。その結果、ポンプケース１６に設けられた接合面４０とモータケース２２の接合面６０に設けられた突起部６１の先端６１Ａとが当接する。換言すると、ポンプケース１６に設けられた接合面４０とモータケースに設けられた接合面６０とが突起部６１の先端６１Ａを介して当接している。また、このように、ポンプケース１６に設けられた接合面４０とモータケースに設けられた接合面６０とが突起部６１を介して当接することによって、ポンプケース１６に対するモータケース２２の位置の位置決めが成されている。次いで、ポンプケース１６に設けられた接合面４０とモータケースの接合面６０に設けられた突起部６１の先端６１Ａとがレーザ溶着にて接合されることにより接合部９８は構成されている。
【００３７】
また、本実施形態では、ポンプケース１６はレーザ透過性の樹脂材料を用いて形成されており、モータケース２２はレーザ吸収性の樹脂材料を用いて形成されている。この場合、外部からポンプケース１６の開放端部３８にレーザを照射すると、モータケース２２の接合面６０に設けられた突起部６１の先端６１Ａにてレーザを吸収して発熱する。この熱によって、ポンプケース１６に設けられた接合面４０とモータケースの接合面６０に設けられた突起部６１の先端６１Ａとの間には溶着部１００が形成される。また、本実施形態では、溶着部１００はポンプケース１６に設けられた接合面４０とモータケースの接合面６０に設けられた突起部６１の先端６１Ａとの間の全周に連続して設けられている。
【００３８】
（本実施形態の作用並びに効果）
次に、本実施形態の作用並びに効果について説明する。
【００３９】
ポンプケース１６とモータケース２２とを接合するにあたり、図９に示されるように、平坦な接合面４００と平坦な接合面６００とが重ね合わされてレーザ溶着により接合される場合、ポンプケース１６の接合面４００に対してモータケース２２の接合面６００が傾いてしまうことが考えられる。この場合、ポンプケース１６の接合面４００とモータケース２２の接合面６００との間に隙間が生じてしまい、これに伴って、ポンプケース１６の接合面４００とモータケース２２の接合面６００との接触部Ｃ１の位置が安定しない（本接合部９８０においては、モータ１８の出力軸７６の軸線方向（矢印Ａ方向）に沿って最大ｄ１の位置ズレが生じる）。この場合、接触部Ｃ１がレーザ溶着機から照射されたレーザ光の照射ライン（１点鎖線で囲まれた範囲）から外れてしまうことが考えられる。その結果、該接合部９８０において溶着不良が生じ、ひいては電動ポンプの内部を流れる流体がポンプケース１６とモータケース２２との接合部９８０から漏れ出してしまうことが考えられる。
【００４０】
しかしながら、本実施形態の電動ポンプ１０では、先端６１Ａが凸曲面状に突出した突起部６１がモータケース２２の接合面６０に設けられている。そのため、図６に示されるように、ポンプケース１６の接合面４０に対してモータケース２２の接合面６０が傾いたとしても、ポンプケース１６の接合面４０とモータケース２２の接合面６０とは突起部６１の先端６１Ａを介して接触する。換言すると、ポンプケース１６の接合面４０とモータケース２２の接合面６０とは突起部６１の先端６１Ａという狭小な範囲の中で接触する（本実施形態では、モータ１８の出力軸７６の軸線方向（矢印Ａ方向）に沿って、ｄ２の範囲の中で両者が接触する）。即ち、本実施形態の電動ポンプ１０では、ポンプケース１６の接合面４０とモータケース２２の接合面６０との接触部Ｃ２の位置を安定させることができる。
【００４１】
また、本実施形態では、ポンプケース１６の接合面４０及びモータケース２２の接合面６０が、モータ１８の出力軸７６の軸線方向（矢印Ａ方向）に延在すると共に、両者が重ね合わされるように配置されているため、ポンプケース１６とモータケース２２との接合部９８が電動ポンプ１０の径方向外側に突出することが抑制される。換言すると、本実施形態では、電動ポンプ１０の外径の小径化をすることができる。
【００４２】
さらに、本実施形態では、ポンプケース１６の接合面４０に対してモータケース２２の接合面６０が傾いたとしても、上述の通り、両接合面間の接触部Ｃ２の位置が安定する。換言すると、本実施形態では、ポンプケース１６の接合面４０に対してモータケース２２の接合面６０が傾いたとしても、ポンプケース１６に対するモータケース２２の位置を安定させることができる。
【００４３】
また、本実施形態では、接合部９８における溶着部１００がポンプケース１６に設けられた接合面４０とモータケースの接合面６０に設けられた突起部６１の先端６１Ａとの間の全周に連続して設けられている。そのため、別途シール材を設けることなく、ポンプケース１６とモータケース２２との接合部９８におけるシール性を確保することができる。
【００４４】
さらに、本実施形態では、ポンプケース１６とモータケース２２との接合部９８がレーザ溶着にて接合されているため、例えばオービタル溶着等により接合した場合と比べ、均一で高い溶着強度を得ることができる。その結果、溶着部におけるシール性や接合強度をさらに向上させることができる。
【００４５】
（第１変形例）
次に、図７を用いて第１変形例に係る接合部について説明する。なお、上記実施形態と同一の部材については同一の符号を付して、その説明を省略する。
【００４６】
図７に示されるように、本変形例に係る接合部１０２は、当接部としての突起部４１がポンプケース１６の接合面４０から突出して形成されていること、及び突起部４１の先端４１Ａが当接する被当接部６３がモータケース２２の接合面６０から突出して形成されていることに特徴がある。
【００４７】
突起部４１は、ポンプケース１６の接合面４０の径方向内側に突出すると共に、ポンプケース１６の接合面４０の全周に渡って設けられている。さらに、この突起部４１の先端４１Ａは、該突起部４１が突出する方向と略同一方向に突出した断面視で凸曲面状に形成されている。
【００４８】
被当接部６３は、モータケース２２の接合面６０の径方向外側に突出すると共に、モータケース２２の接合面６０の全周に渡って設けられている。さらに、この被当接部６３の先端は、上記突起部４１の先端４１Ａが当接する被当接面６３Ａとされている。この被当接面６３Ａは、モータケース２２の接合面６０と略平行に延在すると共に平面状に形成されている。換言すると、この被当接面６３Ａはモータケース２２の接合面６０の一部が該接合面６０の径方向外側に突出して形成された面と言える。なお、突起部４１及び被当接部６３の構成をわかり易くするために、図７において突起部４１及び被当接部６３の大きさを誇張して表現している。
【００４９】
また、ポンプケース１６に設けられた接合面４０とモータケース２２に設けられた接合面６０とが重ね合わされて配置されることにより、突起部４１の先端４１Ａが被当接部６３の被当接面６３Ａに当接する。次いで、突起部４１の先端４１Ａと被当接部６３の被当接面６３Ａとがレーザ溶着にて接合されることにより接合部１０２は構成されている。
【００５０】
（本実施形態の作用並びに効果）
次に、本実施形態の作用並びに効果について説明する。
【００５１】
本実施形態では、ポンプケース１６とモータケース２２とを接合するために、ポンプケース１６の開放端部３８にレーザを照射すると、モータケース２２の接合面６０に設けられた被当接部６３の被当接面６３Ａにてレーザを吸収して発熱する。その結果、被当接面６３Ａが溶融すると共に、該被当接面６３Ａにおける熱エネルギーがモータケース２２の内部へ拡散する。しかしながら、本実施形態では、被当接部６３がモータケース２２の接合面６０から突出して形成されているため、被当接面６３Ａにおける熱エネルギーがモータケース２２の内部へ拡散しにくくなる（特に、モータ１８の出力軸７６の軸線方向（矢印Ａ方向）及びこの方向と反対方向へ熱エネルギーが拡散しにくくなる）。その結果、本実施形態では、レーザ溶着機のレーザの出力をより小さくすることが可能となる。換言すると、本実施形態では、レーザ溶着を行なう工程の省エネルギー化を図ることができる。
【００５２】
（第２変形例）
次に、図８を用いて第２変形例に係る接合部について説明する。なお、上記実施形態等と同一の部材については同一の符号を付して、その説明を省略する。
【００５３】
図８に示されるように、本変形例に係る接合部１０４は、ポンプケース１６の接合面４０とモータケース２２の接合面６０とがテーパ嵌合されていることに特徴がある。
【００５４】
ポンプケース１６の接合面４０は、開放端部３８の開口方向にむけて末広がりとされたテーパ状に形成されている。さらに、この接合面４０には、突起部４１Ａが形成されている。
【００５５】
モータケース２２の接合面６０は、モータ１８の出力軸７６の軸線方向（矢印Ａ方向）に向けて窄まったテーパ状に形成されている。
【００５６】
ポンプケース１６に設けられた接合面４０とモータケース２２に設けられた接合面６０とがモータ１８の出力軸７６の軸線方向（矢印Ａ方向）に向けてテーパ嵌合されることにより、突起部４１の先端４１Ａがモータケース２２の接合面６０に当接する。次いで、突起部４１の先端４１Ａとモータケース２２の接合面６０とがレーザ溶着にて接合されることにより接合部１０４は構成されている。
【００５７】
（本実施形態の作用並びに効果）
次に、本実施形態の作用並びに効果について説明する。
【００５８】
本実施形態では、ポンプケース１６の接合面４０とモータケース２２の接合面６０とがテーパ嵌合されているため、ポンプケース１６に対するモータケース２２の位置を正規の位置へガイドしながら、ポンプケース１６の接合面４０とモータケース２２の接合面６０とを嵌合させることができる。
【００６０】
なお、上記実施形態及び変形例においては、凸曲面状に形成された突起部の先端が平坦に形成された接合面又は被当接面に当接した例について説明してきたが、本発明はこれに限定されず、例えば、接合面又は被当接面が凸曲面状に突出又は凹曲面状に凹んだ形状とされていても良い。
【００６１】
以上、本発明の一実施形態について説明したが、本発明は、上記に限定されるものでなく、その主旨を逸脱しない範囲内において上記以外にも種々変形して実施することが可能であることは勿論である。
【符号の説明】
【００６２】
１０      電動ポンプ（溶着部品）
１２      インペラ
１４      ポンプ部
１６      ポンプケース（第１の部品）
１８      モータ
２２      モータケース（第２の部品）
４０      接合面
４１      突起部（当接部）
４１Ａ    先端
６０      接合面
６１      突起部（当接部）
６１Ａ    先端
６３Ａ    被当接面（接合面）
７６      出力軸
９８      接合部
１００      溶着部
１０２      接合部
１０４      接合部
【図１】
0005798895.tif 000002
【図２】
0005798895.tif 000003
【図３】
0005798895.tif 000004
【図４】
0005798895.tif 000005
【図５】
0005798895.tif 000006
【図６】
0005798895.tif 000007
【図７】
0005798895.tif 000008
【図８】
0005798895.tif 000009
【図９】
0005798895.tif 000010